(57)【要約】      （修正有）【課題】液晶表示パネルの応答速度を十分に高速化し高品質な動画表示を行う。【解決手段】表示データに対応する電圧Ｑと前フレームの表示データに対応する電圧Ｐとに基づいて、補正テーブルを参照して第１補正量ｄ１と第２補正量ｄ２を決定する。第１補正量ｄ１と表示データに対応する電圧Ｑとを加算した電圧「Ｑ＋ｄ１」を第１補正データとし、電圧Ｑから第２補正量ｄ２を減算した電圧「Ｑ−ｄ２」を第２補正データとして生成する。この第１補正データを第１フィールド（時刻ｔ１１からｔ１２まで）に、第２補正データを第２フィールド（時刻ｔ１２からｔ１３まで）に液晶表示パネルに供給する。１フレームにおける液晶の応答は一点鎖線８０で示すようになる。【選択図】図５
2006267360.tif 000002
【特許請求の範囲】
【請求項１】
複数の走査線と複数の信号線との交差に対応して設けられた複数の画素と、
画像信号を前記信号線に与える信号ドライバ回路、及び走査信号を前記走査線に与える走査ドライバ回路を駆動し、画像の表示データを取得する駆動手段と、
前記取得した表示データの前のフレームの表示データと、前記取得した表示データとに基づいて、前記取得した表示データを補正した補正データを生成する補正データ生成手段と、を有し、
前記補正データ生成手段は、前記取得した表示データに対して、所定期間の間に前記補正データを少なくとも２回生成し、
前記信号線には、前記補正データが供給されることを特徴とする液晶表示装置。
【請求項２】
前記補正データ生成手段は、前記取得した表示データを基準にして前記前のフレームの表示データから離れる方向の値を有する第１補正データを生成すると共に、前記第１補正データに対して前記取得した表示データに近づく方向の値を有する第２補正データを生成することを特徴する請求項１に記載の液晶表示装置。
【請求項３】
前記所定期間は、１フレーム期間であり、
前記駆動手段は、前記１フレーム期間を複数に分割したフィールド単位で駆動し、１番目のフィールドでは前記第１補正データに基づいて駆動すると共に、２番目のフィールドでは前記第２補正データに基づいて駆動することを特徴とする請求項２に記載の液晶表示装置。
【請求項４】
前記補正データ生成手段は、前記第２補正データに対して前記取得した表示データに近づく方向の値を有する第３補正データを更に生成することを特徴とする請求項３に記載の液晶表示装置。
【請求項５】
前記補正データ生成手段は、前記取得した表示データに対応する電圧と、前記液晶表示パネルの応答電圧との差分の積分値が略「０」となるように、前記補正データを生成することを特徴とする請求項１乃至４のいずれか一項に記載の液晶表示装置。
【請求項６】
前記補正データ生成手段は、前記取得した表示データに対応する電圧値が、駆動可能な最大電圧値付近にある場合には、前記取得した表示データを基準にして前記前のフレームの表示データから離れる方向の値を有する第１補正データを生成すると共に、前記第１補正データを基準にして前記離れる方向の値を有する第２補正データを連続して生成することを特徴とする請求項１に記載の液晶表示装置。
【請求項７】
前記補正データ生成手段は、
前記取得した表示データと、前記取得した表示データの次のフレームの表示データとが同一である場合には、前記前のフレームの表示データと前記取得した表示データとに基づいて決定された前記補正データを生成し、
前記取得した表示データと、前記次のフレームの表示データとが異なる場合には、前記取得した表示データと前記次のフレームの表示データとに基づいて決定された補正データを生成し、
前記駆動手段は、前記補正データに基づいて、フレーム単位で前記液晶表示パネルを駆動することを特徴とする請求項１に記載の液晶表示装置。
【請求項８】
前記補正データ生成手段は、前記取得した表示データに定数を加算又は減算した値、或いは当該取得した表示データの値を、前記第２補正データとして生成することを特徴とする請求項２乃至７のいずれか一項に記載の液晶表示装置。
【請求項９】
画像信号を信号線に与える信号ドライバ回路及び走査信号を走査線に与える走査ドライバ回路を駆動し、画像の表示データを取得する駆動手段と、
前記取得した表示データの前のフレームの表示データと、前記取得した表示データとに基づいて、前記取得した表示データを補正した補正データを生成する補正データ生成手段と、を有し、
前記補正データ生成手段は、前記取得した表示データに対して、所定期間の間に前記補正データを少なくとも２回生成することを特徴とする液晶駆動回路。
【請求項１０】
複数の走査線と複数の信号線との交差に対応して設けられた複数の画素と、画像信号を前記信号線に与える信号ドライバ回路及び走査信号を前記走査線に与える走査ドライバ回路を駆動し、画像の表示データを取得する駆動手段とを備えた液晶表示装置の駆動方法において、
前記取得した画像の表示データと当該取得した表示データの前のフレームの表示データとに基づいて、当該取得した表示データを補正した少なくとも２つの補正データを所定期間の間に生成し、前記信号線に供給することを特徴とする液晶表示装置の駆動方法。
【発明の詳細な説明】
【技術分野】
【０００１】
本発明は、液晶表示装置、液晶駆動回路、及び液晶表示装置の駆動方法に関する。
【背景技術】
【０００２】
液晶表示装置において、動画などの画像を現在表示している階調から別の階調に変化させる際に、前の表示画像が残っているように見えてしまう現象が発生することが知られている。このような現象は、液晶表示パネルにおける液晶材料の応答速度が遅いために生じている。
【０００３】
一般的には、前フレームの階調値と現フレームの階調値との差分に応じて現フレームを補正したデータを作成し、この補正したデータに対応する駆動電圧を用いて液晶表示パネルを駆動する（所謂、「オーバードライブ」）ことによって、液晶表示パネルの表示特性を改善する手法が行われている。例えば、特許文献１には、１フレームを２分割し（以下、１分割期間を「フィールド」と呼ぶ。）２倍速で駆動電圧を供給すると共に、第１フィールド中にオーバードライブし、第２フィールド中には元のデータに基づいて駆動する技術が記載されている。これにより、オーバードライブを行うレベルを上げることが可能となり、液晶表示パネルの表示特性を高速化することが可能となる。
【０００４】
【特許文献１】特開２００２−１３２２２４号公報
【発明の開示】
【発明が解決しようとする課題】
【０００５】
しかしながら、上記した特許文献１に記載された技術では、応答速度を速くするために第１フィールド中に高いレベルによってオーバードライブを実行すると、第２フィールドにおける液晶表示パネルの応答電圧が、表示すべき画像に対応する電圧よりも高い状態等が継続してしまい、表示画像に違和感が生じてしまう場合があった。逆に、第１フィールドで行うオーバードライブのレベルを下げると、液晶表示パネルに対する表示特性の改善が十分に達成されない場合もあった。
【０００６】
本発明は、以上の点に鑑みてなされたものであり、入力された表示データを補正した補正データを複数回生成し、これらの補正データで液晶表示パネルを駆動することによって、液晶表示パネルの応答速度を十分に高速化することが可能な液晶表示装置、液晶駆動回路、及び液晶表示装置の駆動方法を提供することを課題とする。
【課題を解決するための手段】
【０００７】
本発明の１つの観点では、液晶表示装置は、複数の走査線と複数の信号線との交差に対応して設けられた複数の画素と、画像信号を前記信号線に与える信号ドライバ回路、及び走査信号を前記走査線に与える走査ドライバ回路を駆動し、画像の表示データを取得する駆動手段と、前記取得した表示データの前のフレームの表示データと、前記取得した表示データとに基づいて、前記取得した表示データを補正した補正データを生成する補正データ生成手段と、を有し、前記補正データ生成手段は、前記取得した表示データに対して、所定期間の間に前記補正データを少なくとも２回生成し、前記信号線には、前記補正データが供給される。
【０００８】
上記の液晶表示装置は、複数の走査線と複数の信号線との交差に対応して設けられた複数の画素と、画像信号を前記信号線に与える信号ドライバ回路、及び走査信号を前記走査線に与える走査ドライバ回路を駆動し、画像の表示データを取得する駆動手段を備える。そして、補正データ生成手段は、液晶表示パネルの表示特性を改善するために、取得した表示データを補正した補正データを生成する。この場合、補正データ生成手段は、取得した同一の表示データに対して、所定期間の間に補正データを少なくとも２回生成する。したがって、上記した信号線には、１つの表示データから生成された複数の補正データが供給される。これにより、１つの補正データのみでは液晶表示パネルの改善が不十分である場合にも他の補正データによって更に補正を行うことが可能となると共に、１つの補正データで駆動することによって生じた影響を他の補正データによって修正することも可能となる。よって、上記の液晶駆動回路によれば、液晶表示パネルの応答速度を高速化することができ、液晶表示パネルの表示特性を適切に改善することができる。
【０００９】
上記の液晶表示装置の一態様では、前記補正データ生成手段は、前記取得した表示データを基準にして前記前のフレームの表示データから離れる方向の値を有する第１補正データを生成すると共に、前記第１補正データに対して前記取得した表示データに近づく方向の値を有する第２補正データを生成する。
【００１０】
この態様では、補正データ生成手段は、現フレームの表示データを基準にして前のフレームの表示データから離れる方向の値を有する第１補正データを生成すると共に、第１補正データに対して取得した表示データに近づく方向の値を有する第２補正データを生成する。例えば、表示データよりも大きな値を有する第１補正データを生成した場合には、表示データよりも小さな値を有する第２補正データを生成する。逆に、表示データよりも小さな値を有する第１補正データを生成した場合には、表示データよりも大きな値を有する第２補正データを生成する。これにより、第１補正データによる補正によって、液晶表示パネルの応答電圧が表示データの電圧を超えてしまっても、この後の第２補正データによる補正を行うことによって、液晶表示パネルの応答電圧を表示データの電圧付近に即座に戻すことができる。よって、第１補正データに対応する電圧を大きな値に設定しても、これによる影響を抑制することができるため、液晶表示パネルの応答速度を更に高速にすることが可能となる。
【００１１】
上記の液晶表示装置の他の一態様では、前記所定期間は、１フレーム期間であり、前記駆動手段は、前記１フレーム期間を複数に分割したフィールド単位で駆動し、１番目のフィールドでは前記第１補正データに基づいて駆動すると共に、２番目のフィールドでは前記第２補正データに基づいて駆動する。この態様では、フィールド単位で補正データを用いた駆動を行うため、液晶表示パネルの応答速度を効果的に高速にすることが可能となる。
【００１２】
上記の液晶表示装置の他の一態様では、前記補正データ生成手段は、前記第２補正データに対して前記取得した表示データに近づく方向の値を有する第３補正データを更に生成する。
【００１３】
この態様では、補正データ生成手段は、第１補正データ、第２補正データ、及び第３補正データを生成する。そして、駆動手段は、１番目のフィールドは第１補正データによって駆動し、２番目のフィールドは第２補正データによって駆動し、３番目のフィールドは第２補正データによって駆動する。これにより、液晶表示パネルの応答電圧を、表示データに対応する電圧を中心として小刻みに振動させることができる。この場合、１つの表示データを表示している期間の全体で見たときに、表示された画像の階調値は表示すべき画像の階調値に概ね一致する。したがって、表示データに対応する電圧とは異なる補正データによって液晶表示パネルを駆動しても、表示される画像に対して生じる違和感を効果的に抑制することができる。
【００１４】
上記の液晶表示装置の他の一態様では、前記補正データ生成手段は、前記取得した表示データに対応する電圧と、前記液晶表示パネルの応答電圧との差分の積分値が略「０」となるように、前記補正データを生成する。
【００１５】
この態様では、補正データ生成手段は、表示データに対応する電圧値と、液晶表示パネルの応答電圧との差分の積分値が、取得した表示データに対応する処理が終了した後に、略「０」となるように補正データを生成する。このように補正データを生成することにより、表示データの電圧に対して応答電圧が適切に振動するため、表示される画像の平均の階調値が、入力された表示データの階調値に概ね一致するようになる。これにより、表示画像に対して生じる違和感を更に効果的に抑制することができる。
【００１６】
上記の液晶表示装置の他の一態様では、前記補正データ生成手段は、前記取得した表示データに対応する電圧値が、駆動可能な最大電圧値付近にある場合には、前記取得した表示データを基準にして前記前のフレームの表示データから離れる方向の値を有する第１補正データを生成すると共に、前記第１補正データを基準にして前記離れる方向の値を有する第２補正データを連続して生成する。
【００１７】
この態様では、補正データ生成手段は、表示すべき表示データに対応する電圧が駆動可能な最大電圧値付近にある場合には、この表示データを基準にして前のフレームの表示データから離れる方向の値を有する補正データを連続して生成する。補正データの最大値は液晶表示パネルの最大電圧値であるため、補正データの電圧値を最大電圧値を超える電圧に設定することはできない。したがって、表示データに対応する電圧が液晶表示パネルの駆動可能な最大電圧値付近にある場合には、１つの補正データによる駆動のみでは十分に表示特性を改善することができない。そのため、補正データ生成手段は、この補正データの後に用いる補正データも、前のフレームの表示データから離れる方向の値を有するものを生成する。これにより、表示データに対応する電圧が最大電圧値付近にあっても、効果的に液晶表示パネルの表示特性を改善することが可能となる。
【００１８】
上記の液晶表示装置の他の一態様では、前記補正データ生成手段は、前記取得した表示データと、前記取得した表示データの次のフレームの表示データとが同一である場合には、前記前のフレームの表示データと前記取得した表示データとに基づいて決定された前記補正データを生成し、前記取得した表示データと、前記次のフレームの表示データとが異なる場合には、前記取得した表示データと前記次のフレームの表示データとに基づいて決定された補正データを生成し、前記駆動手段は、前記補正データに基づいて、フレーム単位で前記液晶表示パネルを駆動する。この態様では、補正データ生成手段は、少なくとも隣り合う前後のフレーム（即ち、前のフレームと次のフレーム）の表示データに基づいて補正データを生成し、駆動手段は、フレーム単位で補正データによる駆動を行う。これにより、フィールド単位ではなくフレーム単位で補正を行っても、効果的に液晶表示パネルの表示特性を改善することが可能となる。また、このような補正を行う場合には、２倍速などで液晶表示パネルを駆動する必要がないため、液晶表示装置の構成を簡便にすることができる。
【００１９】
好適には、前記補正データ生成手段は、前記取得した表示データに定数を加算又は減算した値、或いは当該取得した表示データの値を、前記第２補正データとして生成する。例えば、現フレームの表示データと前フレームの表示データの差がほとんどない場合には、第２補正データを表示データそのものに設定する。即ち、このような場合には、液晶表示装置は、第２補正データを用いて補正は行わない。
【００２０】
本発明の別の観点では、液晶駆動回路は、画像信号を信号線に与える信号ドライバ回路及び走査信号を走査線に与える走査ドライバ回路を駆動し、画像の表示データを取得する駆動手段と、前記取得した表示データの前のフレームの表示データと、前記取得した表示データとに基づいて、前記取得した表示データを補正した補正データを生成する補正データ生成手段と、を有し、前記補正データ生成手段は、前記取得した表示データに対して、所定期間の間に前記補正データを少なくとも２回生成する。上記の液晶駆動回路によっても、液晶表示パネルの応答速度を高速化することができ、液晶表示パネルの表示特性を適切に改善することが可能となる。
【００２１】
更に、本発明の別の観点では、複数の走査線と複数の信号線との交差に対応して設けられた複数の画素と、画像信号を前記信号線に与える信号ドライバ回路及び走査信号を前記走査線に与える走査ドライバ回路を駆動し、画像の表示データを取得する駆動手段とを備えた液晶表示装置の駆動方法は、前記取得した画像の表示データと当該取得した表示データの前のフレームの表示データとに基づいて、当該取得した表示データを補正した少なくとも２つの補正データを所定期間の間に生成し、前記信号線に供給する。上記の液晶表示装置の駆動方法によっても、液晶表示パネルの応答速度を高速化することができ、液晶表示パネルの表示特性を適切に改善することが可能となる。
【発明を実施するための最良の形態】
【００２２】
以下、図面を参照して本発明の好適な実施形態について説明する。
【００２３】
［第１実施形態］
まず、本発明の第１実施形態を図１乃至図７を参照して説明する。
【００２４】
（液晶表示装置の構成）
第１実施形態に係る液晶表示装置の構成について、図１を用いて説明する。図１は、液晶表示装置２００の概略構成を示すブロック図である。
【００２５】
液晶表示装置２００は、主に、液晶駆動回路１０と、信号ドライバ３０と、走査ドライバ４０ａ、４０ｂと、液晶表示パネル５０と、を備えている。
【００２６】
液晶駆動回路１０は、外部より、表示データ信号１００と表示制御信号１０１を取得する。表示データ信号１００は、表示すべき画像データに対応するデータである。表示制御信号１０１は、水平同期信号や垂直同期信号やドットクロック信号などに対応する。液晶駆動回路１０は、信号ドライバ３０と走査ドライバ４０ａ、４０ｂとを駆動する駆動手段として機能すると共に、液晶表示パネル５０の表示特性を改善するために、取得した表示データ信号１００を補正した補正データを生成する補正データ生成手段として機能する。なお、補正データ生成手段は、液晶駆動回路１０内に設けることに限定はされず、液晶駆動回路１０とは別の回路として液晶表示装置２００内に設けても良いし、信号ドライバ３０に内臓しても良い。
【００２７】
信号ドライバ３０は、液晶駆動回路１０から、補正後のデータ（補正していないデータも含む）に対応するデータ信号１２０、及びクロック信号１２１を取得する。そして、信号ドライバ３０は、クロック信号１２１に基づいて、ｎ本の信号線Ｓ１〜Ｓｎに画像信号を供給する。
【００２８】
走査ドライバ４０ａ、４０ｂは、液晶駆動回路１０より、クロック信号１３０ａ、１３０ｂと、垂直同期信号１３１ａ、１３１ｂとを取得する。走査ドライバ４０ａ、４０ｂは、ｍ本の走査線Ｇ１〜Ｇｍに対して走査信号を供給する。具体的には、走査ドライバ４０ａは、クロック信号１３０ａ及び垂直同期信号１３１ａに基づいて走査線Ｇ１〜Ｇｍを順次走査し、走査ドライバ４０ｂは、クロック信号１３０ｂ及び垂直同期信号１３１ｂに基づいて走査線Ｇｍ＋１〜Ｇ２ｍを順次走査する。
【００２９】
液晶表示パネル５０は、例えばＴＦＴなどによって構成され、走査線Ｇ１〜Ｇ２ｍ及び信号線Ｓ１〜Ｓｎにより電圧を印加されることによって、表示すべき文字や映像などの画像を表示する。
【００３０】
第１実施形態では、液晶駆動回路１０は、１フレームを２つのフィールド（第１フィールドと第２フィールド）に分割して、液晶表示パネル５０を駆動する。即ち、液晶駆動回路１０は、第１フィールドと第２フィールドのそれぞれの期間中に、走査ドライバ４０ａ、４０ｂを駆動する。液晶駆動回路１０が走査ドライバ４０ａ、４０ｂを駆動する方法の具体例について、図２及び図３を用いて説明する。
【００３１】
図２は、走査ドライバ４０ａ、４０ｂを駆動する方法の１つの例を示している。この例では、液晶駆動回路１０は、２倍速で走査ドライバ４０ａ、４０ｂを駆動する。この場合、垂直同期信号１３１ａ、１３１ｂの周期は両方ともフレーム周期の半分であり、垂直同期信号１３１ａと垂直同期信号１３１ｂの周期は半周期分ずれている。具体的には、走査ドライバ４０ａは１フィールドの前半で走査線Ｇ１〜Ｇｍを走査し、走査ドライバ４０ｂは１フィールドの後半で走査線Ｇｍ＋１〜Ｇ２ｍを走査することによって、１フィールド中に全ての走査線Ｇ１〜Ｇ２ｍが走査される。したがって、１フレーム中に、一本の走査線に対して走査信号が２回供給されることになる。よって、液晶表示パネル５０は、１フレーム中に２回駆動される。
【００３２】
図３は、走査ドライバ４０ａ、４０ｂを駆動する方法の他の例を示している。この例では、上記した例とは異なり、２倍速で走査ドライバ４０ａ、４０ｂを駆動する代わりに、液晶駆動回路１０は、通常の速度（１フレーム期間で走査線Ｇ１〜Ｇ２ｍを一回走査する速度）で走査ドライバ４０ａ、４０ｂを駆動し、走査ドライバ４０ａ、４０ｂによる走査が並行して行われるようにする。この場合、垂直同期信号１３１ａ、１３１の周期は両方ともフレーム周期の半分であり、垂直同期信号１３１ａ、１３１ｂの周期はずれていない。具体的には、走査ドライバ４０ａは１フィールド中に走査線Ｇ１〜Ｇｍを走査すると共に、走査ドライバ４０ｂは１フィールド中に走査線Ｇｍ＋１〜Ｇ２ｍを走査することによって、１フィールド中に全ての走査線Ｇ１〜Ｇ２ｍが走査される。これにより、液晶表示パネル５０は、１フレーム中に２回駆動される。
【００３３】
（補正データ生成方法）
次に、第１実施形態に係る補正データ生成方法について説明する。
【００３４】
第１実施形態では、液晶駆動回路１０は、液晶表示パネル５０の表示特性を改善するために入力された表示データを補正する処理（オーバードライブ）を、１フレーム中に２回行う。具体的には、液晶駆動回路１０は、入力された表示データに基づいて、第１フィールド中に用いる第１補正データと、第２フィールド中に用いる第２補正データとを生成する。即ち、液晶駆動回路１０は、第１フィールド中は第１補正データによってオーバードライブを行い、第２フィールド中は第２補正データによってオーバードライブを行う。
【００３５】
ここで、第１実施形態に係る補正データ生成方法を実行する液晶駆動回路１０の詳細な構成について、図４を用いて説明する。
【００３６】
図４は、第１実施形態に係る液晶駆動回路１０の概略構成を示すブロック図である。液晶駆動回路１０は、フレームメモリ１１と、補正量決定部１２と、補正テーブル１４と、補正データ生成部１５と、を備えている。
【００３７】
液晶駆動回路１０には、外部より表示データ信号１００が入力される。この表示データ信号１００は、フレームメモリ１１に信号１５０として入力される共に、補正量決定部１２に信号１５１として入力される。フレームメモリ１１は信号１５０を取得すると、記憶していた前フレームの表示データに対応する表示データ信号１５２を補正量決定部１２に供給する。
【００３８】
補正量決定部１２は、次に表示すべきフレーム（現フレーム）の表示データを信号１５１として取得すると共に、前フレームの表示データを信号１５２として取得する。そして、補正量決定部１２は、現フレームの表示データと前フレームの表示データに基づいて補正テーブル１４を参照して、現フレームの表示データを補正する量（補正量）を決定する。具体的には、補正量決定部１２は、補正テーブル１４内の第１補正量テーブル１４ａを参照して、第１フィールドにおいて用いる第１補正量を決定すると共に、補正テーブル１４内の第２補正量テーブル１４ｂを参照して、第２フィールドにおいて用いる第２補正量を決定する。そして、補正量決定部１２は、決定した第１補正量と第２補正量に対応する信号１５７を補正データ生成部１５に供給する。
【００３９】
補正テーブル１４の第１補正テーブル１４ａには、第１フィールド中に用いる第１補正量が記憶されており、第２補正テーブル１４ｂには、第２フィールド中に用いる第２補正量が記憶されている。例えば、第１補正量及び第２補正量は、現フレームの表示データ及び前フレームの表示データに対応付けて記憶されている。このような対応付けは、予め測定などによって求められた液晶表示パネル５０の特性などに基づいて決定されている。
【００４０】
補正データ生成部１５には、現フレームに対応する表示データ信号１００と、第１補正量及び第２補正量に対応する信号１５７が入力される。補正データ生成部１５は、第１補正量に基づいて表示データ信号１００を補正した第１補正データを生成すると共に、第２補正量に基づいて表示データ信号１００を補正した第２補正データを生成する。詳しくは、補正データ生成部１５は、現フレームの表示データに対して第１補正量を加算又は減算することによって第１補正データを生成すると共に、現フレームの表示データに対して第２補正量を加算又は減算することによって第２補正データを生成する。そして、補正データ生成部１５は、第１補正データと第２補正データに対応する信号１２０を信号ドライバ３０に供給する。より詳しくは、補正データ生成部１５は、第１フィールド中に信号ドライバ３０に対して第１補正データを供給すると共に、第２フィールド中に信号ドライバ３０に対して第２補正データを供給する。
【００４１】
次に、前述した第１補正データと第２補正データの具体例と、これらの補正データを用いてオーバードライブを行ったときの液晶表示パネル５０の応答波形について、図５を用いて説明する。
【００４２】
図５は、横軸に時間を示し、縦軸に電圧を示している。実線７０は、第１補正データ及び第２補正データに対応する電圧、詳しくは、信号ドライバ３０から液晶表示パネル５０における信号線Ｓ１〜Ｓｎに対して供給される電圧を示している。第１フィールドにおける電圧が第１補正データに対応し、第２フィールドにおける電圧が第２補正データに対応する。また、一点鎖線８０は、実線７０で示す電圧によって液晶表示パネル５０を駆動したときの、液晶表示パネル５０の応答電圧を示している。
【００４３】
液晶駆動回路１０内の補正量決定部１２は、時刻ｔ１１において、次のフレームの画像に対応する、電圧Ｑを有する表示データを取得する。このとき、補正量決定部１２は、表示データに対応する電圧Ｑと前フレームの表示データに対応する電圧Ｐとに基づいて、補正テーブル１４を参照して第１補正量ｄ１と第２補正量ｄ２とを決定する（この場合、ｄ１とｄ２は電圧を意味する）。そして、補正データ生成部１５は、補正量決定部１２で決定された第１補正量ｄ１と表示データに対応する電圧Ｑとを加算した電圧「Ｑ＋ｄ１」を有する第１補正データを生成すると共に、電圧Ｑから第２補正量ｄ２を減算した電圧「Ｑ−ｄ２」を有する第２補正データを生成する。この場合、液晶駆動回路１０は、補正データ生成部１５が生成した第１補正データを第１フレーム中（時刻ｔ１１から時刻ｔ１２まで）に液晶表示パネル５０に供給し、第２補正データを第２フレーム中（時刻ｔ１２から時刻ｔ１３まで）に液晶表示パネル５０に供給する。
【００４４】
このように、電圧「Ｑ＋ｄ１」を有する第１補正データと電圧「Ｑ−ｄ２」を有する第２補正データによって液晶表示パネル５０を駆動することにより、一点鎖線８０で示す応答が液晶表示パネル５０から得られる。具体的には、第１フィールドにおいて、表示データに対応する電圧Ｑよりも大きな電圧「Ｑ＋ｄ１」によって液晶表示パネル５０を駆動することにより、液晶表示パネル５０の応答電圧は即座に電圧Ｑに達し、この後、電圧Ｑを超えるようになる。詳しくは、応答電圧が電圧Ｑの９０％の電圧に達するまでの時間（以下、この時間を「パネル応答時間」と呼ぶ。）はＴ１となる。また、第１フィールドの終了時点（時刻ｔ１２）で液晶表示パネル５０における応答が電圧Ｑを超えているが、第２フィールドにおいて、電圧Ｑを下回る電圧「Ｑ−ｄ２」を有する第２補正データによって液晶表示パネル５０を駆動することにより、液晶表示パネル５０の応答電圧は即座に減少し、電圧Ｑを下回るようになる。
【００４５】
ここで、第２補正データを用いる第１実施形態に係るオーバードライブを実行したときの液晶表示パネル５０の応答と、第２補正データを用いないオーバードライブを行ったときの液晶表示パネル５０の応答とを比較する。
【００４６】
図６は、第２補正データを用いないでオーバードライブを行う比較例に係る液晶駆動回路を用いた場合の液晶表示パネル５０の応答を示している。図６（ａ）、（ｂ）は、横軸に時間を示し、縦軸に電圧を示している。実線７１ａ、７１ｂは、液晶表示パネル５０を駆動するために用いる駆動電圧を示しており、一点鎖線８１ａ、８１ｂは、液晶表示パネル５０の応答波形を示している。
【００４７】
図６（ａ）では、第１補正データとして電圧「Ｑ＋ｄ１ａ」を用い、第２補正データは用いていない、即ち第２フィールドでは電圧Ｑによって液晶表示パネル５０を駆動している。つまり、第１フィールドのみオーバードライブを行い、第２フィールドではオーバードライブを行わない。この場合、第１補正データにおける第１補正量ｄ１ａは、前述した第１実施形態に係る液晶駆動回路１０が用いた第１補正量ｄ１よりもかなり小さいものとする。このような駆動電圧で液晶表示パネル５０を駆動することにより、一点鎖線８１ａで示す応答電圧が得られる。この場合、液晶表示パネル５０のパネル応答時間はＴ１ａである。このパネル応答時間Ｔ１ａは、第１実施形態に係る液晶駆動回路１０によるパネル応答時間Ｔ１と比較して、長くなっている。即ち、比較例に係る液晶駆動回路は、第１実施形態に係る液晶駆動回路１０と比較して、液晶表示パネル５０の応答電圧が表示データに対応する電圧Ｑの９０％の電圧に達するまでの時間が遅いといえる。これは、比較例に係る液晶駆動回路では、第１補正量をより小さい電圧に設定して、オーバードライブを行っているからである。このように液晶表示パネル５０の応答時間が長くなってしまうと、前フレームの画像の残像が見えてしまう場合がある。
【００４８】
一方、図６（ｂ）では、第１補正データとして電圧「Ｑ＋ｄ１ａ」よりも大きい電圧「Ｑ＋ｄ１ｂ」を用いて、第１フィールドのみオーバードライブを行う。このような電圧で液晶表示パネル５０を駆動することにより、一点鎖線８１ｂで示す応答電圧が得られる。この場合、液晶表示パネル５０のパネル応答時間はＴ１ｂとなる。このパネル応答時間Ｔ１ｂは、第１実施形態に係る液晶駆動回路１０によるパネル応答時間Ｔ１と比較してほとんど変わらない。しかしながら、比較例に係る液晶駆動回路によってオーバードライブを行った場合、液晶表示パネル５０は、第２フィールド中も、しばらく電圧Ｑを超える電圧で応答し続けていることがわかる。即ち、比較例に係る液晶駆動回路によってオーバードライブを行った場合、第１実施形態に係る液晶駆動回路１０によってオーバードライブを行った場合と比較して、液晶表示パネル５０の応答電圧が電圧Ｑを超えている時間が長いことがわかる。これは、比較例に係る液晶駆動回路では、第２フィールド中に、電圧Ｑを下回る電圧を有する第２補正データを用いてオーバードライブを行っていないからである。このような表示データの電圧Ｑを超える電圧で液晶表示パネル５０が応答し続けると、表示すべき画像に一致しない、電圧Ｑを超える電圧を有する画像が残像して見えてしまう場合がある。
【００４９】
以上のように、第１補正データのみを用いてオーバードライブを行う場合には、液晶表示パネル５０の応答速度を速くするために第１補正データを大きくすると、電圧Ｑを超える電圧で応答し続けるようになり、逆に、応答が電圧Ｑを超えないようにするために第１補正データを小さくすると、応答速度が遅くなってしまう。したがって、第１実施形態に係る液晶駆動回路１０は、応答速度を速くするために比較的大きな電圧を有する第１補正量を用いて第１フィールド中にオーバードライブを行うと共に、電圧Ｑを超えた応答電圧を適切に低下させるために電圧Ｑを下回る第２補正データを用いて第２フィールド中にオーバードライブを行う。ここで、応答電圧を適切に低下させるとは、電圧Ｑを上回る応答電圧を減少させて、電圧Ｑを下回る応答電圧にすることである。この場合、応答電圧は電圧Ｑに完全に一致しないが、これまで電圧Ｑを超えていた応答電圧が電圧Ｑを下回る電圧になるため、１フレーム期間の全体で見たときには、表示された画像の階調値は表示すべき画像の階調値（電圧Ｑに対応する）に概ね一致するようになる。よって、第２フィールド中に応答電圧が電圧Ｑに一致せず、電圧Ｑを下回ってしまっても、表示される画像に対して違和感は生じない。
【００５０】
したがって、第１実施形態に係る液晶駆動回路１０は、第２フィールド中に第２補正データを用いてオーバードライブを行うため、大きな電圧を有する第１補正データを用いてオーバードライブを行うことが可能となり、液晶表示パネル５０の応答速度を速くしても、これによる影響を生じさせない。以上より、第１実施形態に係るオーバードライブを実行することにより、効果的に液晶表示パネル５０の表示特性を改善することが可能となる。
【００５１】
なお、上記では、現フレームの表示データの電圧が前フレームの表示データの電圧よりも大きい場合にオーバードライブを行う例について示したが、前フレームの電圧が現フレームの電圧よりも大きい場合にも、同様な処理を行うことができる。この場合には、液晶駆動回路１０は、現フレームの表示データの電圧よりも小さな電圧を有する第１補正データを生成すると共に、現フレームの表示データの電圧よりも大きな電圧を有する第２補正データを生成する。つまり、液晶駆動回路１０は、現フレームの表示データを基準にして前フレームの表示データから離れる方向の値を有する第１補正データを生成すると共に、この離れる方向とは逆の方向の値を有する第２補正データを生成する。
【００５２】
ここで、上記した第１補正量及び第２補正量を決定する方法の具体例について説明する。
【００５３】
液晶補正回路１０内の補正量決定部１２は、現フレームの表示データとこのフレームの前フレームの表示データとに基づいて、補正テーブル１４を参照して第１補正量と第２補正量を決定する。
【００５４】
一つの例では、補正テーブル１４には、第１補正量及び第２補正量が、現フレームの表示データ及び前フレームの表示データに対応付けて記憶されている。このような対応付けは、予め測定などによって求められた液晶表示パネル５０の特性に基づいて決定されている。
【００５５】
例えば、現フレームの表示データと前フレームの表示データとに基づいて決定された第１補正量と第２補正量を用いてオーバードライブを行うと、液晶表示パネル５０を駆動する駆動電圧と応答電圧との差分の積算値が略「０」となるような、第１補正量と第２補正量が補正テーブル１４に記憶されている。具体的には、図４を参照すると、ハッチング領域Ｍ１〜Ｍ４の面積を全て加算した値が略「０」となるように、第１補正量ｄ１及び第２補正量ｄ２が設定されている。このように第１補正量ｄ１と第２補正量ｄ２を設定することにより、応答電圧が電圧Ｑを中心にして適切に振動すると共に、表示される画像の平均の階調値が、入力された表示データの階調値に概ね一致するようになる。これにより、液晶表示パネル５０の応答電圧が表示データの電圧に完全に一致しなくても、表示画像に対して違和感が生じることはない。
【００５６】
更に、他の例では、第１補正量は、現フレームの表示データと前フレームの表示データに対応付けて補正テーブル１４に記憶されているが、第２補正量は、現フレームの表示データと前フレームの表示データに因らない定数が補正テーブル１４に記憶されている。更に、補正テーブル１４には、第２補正量として、この定数を用いるか否かの情報が記憶されている。即ち、第２補正量として、定数及び「０」のうちいずれかを選択的に用いることができる。例えば、現フレームの表示データと前フレームの表示データとの差がほとんどない場合には、第２補正量として「０」を用いることができる。このような場合には、第２補正量を用いて第２フィールド期間にオーバードライブを行う必要がないため、第２フィールド期間にオーバードライブを行わない。このように第２補正量を設定することにより、記憶するデータ量を削減することが可能となる。
【００５７】
なお、上記では、現フレームの表示データを基準にして前フレームの表示データに近づく方向の値を有する第２補正データを生成する例を示したが、液晶駆動回路１０は、所定の場合に、前フレームの表示データから離れる方向の値を有する第２補正データを生成することができる。即ち、液晶駆動回路１０は、所定の場合に、現フレームの表示データを基準にして前フレームの表示データから離れる方向の値を有する補正データを連続して生成することができる。
【００５８】
詳しくは、液晶駆動回路１０は、第１補正データの電圧を表示データの電圧よりも大きくした場合に、第２補正データの電圧も表示データの電圧よりも大きくすることができると共に、第１補正データの電圧を表示データの電圧よりも小さくした場合に、第２補正データの電圧を表示データの電圧よりも小さくすることができる。即ち、液晶駆動回路１０は、現フレームの表示データを基準にして前フレームの表示データから離れる方向の値を有する第１補正データを生成すると共に、この離れる方向と同じ方向の値を有する第２補正データを生成する。
【００５９】
上記のように第２補正データを設定してオーバードライブを行う具体例を、図７に示す。図７は、横軸に時間を示し、縦軸に電圧を示し、実線７３は、液晶表示パネル５０を駆動するために用いる駆動電圧を示している。この場合、現フレームの表示データの電圧Ｑは、液晶表示パネル５０が駆動可能な最大電圧Ｓ付近に位置する。効果的にオーバードライブを行うためには最大電圧Ｓを超える電圧によって駆動すべきであるが、最大電圧Ｓを超える電圧に設定することは不可能である。したがって、補正データ生成部１５は、現フレームの表示データの電圧Ｑが最大電圧Ｓ付近に位置する場合には、この最大電圧Ｓを第１補正データとして決定する。しかしながら、このような第１補正データによるオーバードライブのみでは、液晶表示パネル５０の応答電圧は第１フィールド中に電圧Ｑに達しない場合がある。そのため、第２フィールドにおいて用いる第２補正データは、電圧Ｑを下回る電圧を用いないで、最大電圧Ｓを用いてオーバードライブを行う。これにより、表示データに対応する電圧Ｑが最大電圧Ｓ付近にあっても、効果的に液晶表示パネル５０の表示特性を改善することが可能となる。
【００６０】
［第２実施形態］
次に、本発明の第２実施形態について説明する。
【００６１】
第２実施形態では、第１実施形態とは異なり、１フレームを４分割したフィールド（第１フィールド〜第４フィールド）で液晶表示パネル５０を駆動する。この場合、液晶表示装置２００及び液晶駆動回路１０の構成は第１実施形態と同一であるが、第２実施形態では、液晶駆動回路１０は、４倍速で走査ドライバ４０ａ、４０ｂの各々を駆動するか、或いは２倍速で並列して走査ドライバ４０ａ、４０ｂを駆動する。
【００６２】
詳しくは、第２実施形態では、前半の第１フィールド中と第２フィールド中にオーバードライブの処理を行い、後半の第３フィールド中と第４フィールド中にはオーバードライブの処理は行わない。具体的には、第１フィールド中には第１補正データを用いてオーバードライブを行い、第２フィールド中には第２補正データを用いてオーバードライブを行う。なお、第１補正データと第２補正データは、第１実施形態で用いたものと同一であるため、説明は省略する。
【００６３】
ここで、第２実施形態に係るオーバードライブを実行したときの液晶表示パネル５０の応答波形の具体例について、図８を用いて説明する。
【００６４】
図８は、横軸に時間を示し、縦軸に電圧を示している。実線７５は、液晶表示パネル５０に供給される駆動電圧を示しており、一点鎖線８５は、実線７５で示す電圧を液晶表示パネル５０に印加したときの、液晶表示パネル５０の応答電圧を示している。
【００６５】
液晶駆動回路１０内の補正量決定部１２は、時刻ｔ２１において、次のフレームの画像に対応する、電圧Ｑを有する表示データを取得する。このとき、補正量決定部１２は、取得した電圧Ｑと前フレームの表示データとに対応する電圧Ｐとに基づいて、補正テーブル１４を参照して第１補正量ｄ１と第２補正量ｄ２とを決定する。そして、補正データ生成部１５は、補正量決定部１２で決定された第１補正量ｄ１と表示データに対応する電圧Ｑとを加算した電圧「Ｑ＋ｄ１」を有する第１補正データを生成すると共に、電圧Ｑから第２補正量ｄ２を減算した電圧「Ｑ−ｄ２」を有する第２補正データを生成する。この場合、液晶駆動回路１０は、補正データ生成部１５が生成した第１補正データを第１フレーム中（時刻ｔ２１から時刻ｔ２２まで）に液晶表示パネル５０に供給し、第２補正データを第２フレーム中（時刻ｔ２２から時刻ｔ２３まで）に液晶表示パネル５０に供給する。
【００６６】
そして、液晶駆動回路１０は、時刻ｔ２３において、駆動電圧を表示データに対応する電圧Ｑに設定し、第３フレーム及び第４フレーム（時刻ｔ２３から時刻ｔ２５までの期間）の間、液晶表示パネル５０を電圧Ｑによって駆動する。
【００６７】
このように、第１フィールドを第１補正データによってオーバードライブを実行し、第２フィールドを第２補正データによってオーバードライブを実行することによって、液晶表示パネル５０から一点鎖線８５で示す応答が得られる。この応答波形と、第１実施形態に係るオーバードライブを実行したときの応答波形とを比較すると、第２実施形態に係るオーバードライブを実行すると、液晶表示パネル５０の応答速度がより速くなること、及び応答電圧が電圧Ｑを超えている時間がより短いことがわかる。これは、第２実施形態では、１フレームを４分割したときの第１フィールドと第２フィールドにおいてオーバードライブを実行しているからである。したがって、第２実施形態に係るオーバードライブを実行することによって、液晶表示パネル５０の表示特性を更に効果的に改善することが可能となる。
【００６８】
［第３実施形態］
次に、本発明の第３実施形態について説明する。
【００６９】
第３実施形態でも、第２実施形態と同様に、１フレームを４分割したフィールド（第１フィールド〜第４フィールド）で液晶表示パネル５０を駆動する。しかし、第３実施形態では、第１フィールド〜第３フィールドの間、オーバードライブを実行する点で第２実施形態とは異なる。
【００７０】
ここで、第３実施形態に係る液晶駆動回路の構成について、図９を用いて説明する。図９は、液晶駆動回路１０ａの概略構成を示すブロック図である。液晶駆動回路１０ａは、補正テーブル１４の代わりに補正テーブル１７を有する点で、前述した液晶駆動回路１０とは異なる。よって、上記した液晶駆動回路１０と同一の構成要素については同一の符号を付し、その説明は省略する。
【００７１】
補正テーブル１７は、第１補正量テーブル１７ａ、第２補正量テーブル１７ｂ、及び第３補正量テーブル１７ｂを有している。第１補正テーブル１７ａには、第１フィールド中に用いる第１補正量が記憶されており、第２補正テーブル１７ｂには、第２フィールド中に用いる第２補正量が記憶されており、第３補正テーブル１７ｃには、第３フィールド中に用いる第３補正量が記憶されている。第１補正量〜第３補正量は、現フレームの表示データ及び前フレームの表示データに対応付けられて記憶されている。このような対応付けは、予め測定などによって求められた液晶表示パネル５０の特性に基づいて決定されている。なお、第２補正量及び第３補正量を、現フレームの表示データ及び前フレームの表示データに基づいて決定される値に設定する代わりに、表示データに因らない定数及び「０」のうちいずれかを選択的に用いることができるように設定してもよい。
【００７２】
このように、第３実施形態に係る液晶駆動回路１０ａは、第１補正データ〜第３補正データを用いてオーバードライブを実行する。第１補正データと第２補正データは、前述したものと同一である。第３補正データは、取得した表示データを基準にして前フレームの表示データから離れる方向の値を有するように決定される。詳しくは、第２補正データの電圧が表示データの電圧よりも大きい場合には、第３補正データの電圧は表示データの電圧よりも小さく、逆に、第２補正データの電圧が表示データの電圧よりも小さい場合には、第３補正データの電圧は表示データの電圧よりも大きい。
【００７３】
次に、第３実施形態に係るオーバードライブを実行したときの液晶表示パネル５０の応答波形の具体例について、図１０を用いて説明する。
【００７４】
図１０は、横軸に時間を示し、縦軸に電圧を示している。実線７７は、液晶表示パネル５０に供給される駆動電圧を示しており、一点鎖線８７は、実線７７で示す電圧を液晶表示パネル５０に印加したときの、液晶表示パネル５０の応答電圧を示している。
【００７５】
液晶駆動回路１０内の補正量決定部１２は、時刻ｔ２１において、次のフレームの画像に対応する、電圧Ｑを有する表示データを取得する。このとき、補正量決定部１２は、取得した電圧Ｑと前フレームの表示データに対応する電圧Ｐとに基づいて、補正テーブル１７を参照して第１補正量ｄ１、第２補正量ｄ２、及び第３補正量ｄ３を決定する。そして、補正データ生成部１５は、補正量決定部１２で決定された第１補正量ｄ１と表示データに対応する電圧Ｑとを加算した電圧「Ｑ＋ｄ１」を有する第１補正データ、電圧Ｑから第２補正量ｄ２を減算した電圧「Ｑ−ｄ２」を有する第２補正データ、及び第３補正量ｄ３と電圧Ｑとを加算した電圧「Ｑ＋ｄ３」を有する第３補正データをそれぞれ生成する。
【００７６】
この場合、液晶駆動回路１０は、補正データ生成部１５が生成した第１補正データを第１フレーム中（時刻ｔ２１から時刻ｔ２２まで）に液晶表示パネル５０に供給すると共に、第２補正データを第２フレーム中（時刻ｔ２２から時刻ｔ２３まで）に液晶表示パネル５０に供給する。更に、晶駆動回路１０は、補正データ生成部１５が生成した第３補正データを第３フレーム中（時刻ｔ２３から時刻ｔ２４まで）に液晶表示パネル５０に供給する。そして、液晶駆動回路１０は、時刻ｔ２４において、駆動電圧を表示データに対応する電圧Ｑに設定し、第４フレーム（時刻ｔ２４から時刻ｔ２５までの期間）の間、液晶表示パネル５０を電圧Ｑによって駆動する。
【００７７】
このように、第３実施形態に係るオーバードライブを実行することによって、液晶表示パネル５０から一点鎖線８７で示す応答が得られる。この応答波形と、第２実施形態に係るオーバードライブを実行したときの応答波形とを比較すると、第３実施形態に係るオーバードライブを実行すると、液晶表示パネル５０の応答電圧が、より小刻みに電圧Ｑを中心として振動していることがわかる。これは、第３実施形態では、第３フィールドにおいてオーバードライブを実行しているからである。よって、第３実施形態に係るオーバードライブを実行することによって、表示される画像に対して生じる違和感を更に効果的に抑制することが可能となる。
【００７８】
［第４実施形態］
次に、本発明の第４実施形態について説明する。
【００７９】
上記した第１実施形態〜第３実施形態では、１フレームを分割したフィールド単位にオーバードライブを実行したが、第４実施形態では、フレーム単位でオーバードライブを実行する。この場合も液晶表示装置２００及び液晶駆動回路１０の構成は第１実施形態で示したものと同様であるが、第４実施形態では、液晶駆動回路１０は、通常の速度で走査ドライバ４０ａ、４０ｂを駆動する。即ち、液晶駆動回路１０は、１フレーム中に一回だけ液晶表示パネル５０を駆動する。
【００８０】
第４実施形態では、隣り合うフレームの表示データを比較して、その比較結果に基づいてオーバードライブを実行する。具体的には、液晶駆動回路１０は、前フレームの表示データと現フレームの表示データが異なり、現フレームの表示データと、次のフレームの表示データとが同一である場合には、前フレームの表示データと現フレームの表示データとに基づいて決定される第１補正データを用いて現フレームのオーバードライブを実行すると共に、前フレームの表示データと現フレームの表示データとに基づいて決定される第２補正データを用いて次のフレームのオーバードライブを実行する。この場合、現フレームの表示データと次のフレームの表示データとに基づいて決定される第１補正データは、次のフレームに対するオーバードライブには用いない。
【００８１】
一方、前フレームの表示データと現フレームの表示データが異なり、現フレームの表示データと次のフレームの表示データとが異なる場合には、液晶駆動回路１０は、前フレームの表示データと現フレームの表示データとに基づいて決定される第１補正データを用いて現フレームの表示データのオーバードライブを実行すると共に、現フレームの表示データと次のフレームの表示データとに基づいて決定される第２補正データを用いて次のフレームデータのオーバードライブを実行する。この場合、前フレームの表示データと現フレームの表示データとに基づいて決定される補正データは、オーバードライブに用いない。
【００８２】
なお、前フレームと現フレームが同一の場合には、現フレームに対する補正方法は、先に説明した現フレームの表示データと、次のフレームの表示データとが同一である場合の次のフレームに対する補正方法に相当する。すなわち、フレームで変化が起こったときには、変化の直後は変化に対応する補正データを使い、変化がない場合にはそれ以前の補正データ、またはそれ以上の補正を行う場合にはそれ以上の補正データを使う方法を行えばよい。
【００８３】
ここで、第４実施形態に係るオーバードライブを実行したときの液晶表示パネル５０の応答波形の具体例について、図１１を用いて説明する。
【００８４】
図１１（ａ）、（ｂ）は、横軸に時間を示し、縦軸に電圧を示している。実線７８、７９は液晶表示パネル５０に供給される駆動電圧を示しており、実線９８、９９は液晶駆動回路１０に入力される表示データの電圧を示している。この場合、液晶駆動回路１０は、（Ｘ−１）フレーム、Ｘフレーム、（Ｘ＋１）フレームの順で処理を行う。
【００８５】
図１１（ａ）は、Ｘフレームと（Ｘ＋１）フレームとの間で表示データが変化しない場合の図を示している。具体的には、（Ｘ−１）フレームの表示データは電圧Ｐを有しており、Ｘフレーム及び（Ｘ＋１）フレームの表示データは電圧Ｑを有している。この場合、液晶駆動回路１０は、（Ｘ−１）フレームの電圧ＰとＸフレームの電圧Ｑとに基づいて決定される第１補正データを用いてＸフレームのオーバードライブを実行すると共に、（Ｘ−１）フレームの電圧ＰとＸフレームの電圧Ｑとに基づいて決定される第２補正データを用いて（Ｘ＋１）フレームのオーバードライブを実行する。よって、Ｘフレームと（Ｘ＋１）フレームとに基づいて決定される補正データは、（Ｘ＋１）フレームに対するオーバードライブに用いない。
【００８６】
図１１（ｂ）は、Ｘフレームと（Ｘ＋１）フレームとの間で表示データが変化する場合の図を示している。具体的には、（Ｘ−１）フレームの表示データは電圧Ｐを有し、Ｘフレームの表示データは電圧Ｑを有し、（Ｘ＋１）フレームの表示データは電圧Ｑ’を有している。この場合、液晶駆動回路１０は、（Ｘ−１）フレームの電圧ＰとＸフレームの電圧Ｑとに基づいて決定される第１補正データを用いてＸフレームのオーバードライブを実行すると共に、Ｘフレームの電圧Ｑと（Ｘ＋１）フレームの電圧Ｑ’とに基づいて決定される第２補正データを用いて（Ｘ＋１）フレームのオーバードライブを実行する。よって、（Ｘ−１）フレームの電圧ＰとＸフレームの電圧Ｑとに基づいて決定される補正データは、（Ｘ＋１）フレームに対するオーバードライブに用いない。
【００８７】
このように、第４実施形態では、隣り合うフレームの表示データに基づいて、フレーム単位にオーバードライブを行う。これにより、フィールド単位ではなくフレーム単位でオーバードライブを行っても、効果的に液晶表示パネル５０の表示特性を改善することが可能となる。また、第４実施形態に係るオーバードライブでは、２倍速などによって走査ドライバを駆動する必要がないため、液晶駆動回路１０の構成を簡便にすることができる。
【図面の簡単な説明】
【００８８】
【図１】本発明の実施形態に係る液晶表示装置の概略構成を示す図である。
【図２】走査ドライバの駆動方法の具体例を示す図である。
【図３】走査ドライバの駆動方法の他の具体例を示す図である。
【図４】第１実施形態に係る液晶駆動回路の概略構成を示すブロック図である。
【図５】第１実施形態に係るオーバードライブを実行したときの応答波形を示す図である。
【図６】第２補正データを用いないでオーバードライブを実行したときの応答波形を示す図である。
【図７】第１実施形態に係るオーバードライブの他の例を説明するための図である。
【図８】第２実施形態に係るオーバードライブを実行したときの応答波形を示す図である。
【図９】第３実施形態に係る液晶駆動回路の概略構成を示すブロック図である。
【図１０】第３実施形態に係るオーバードライブを実行したときの応答波形を示す図である。
【図１１】第４実施形態に係るオーバードライブを説明するための図である。
【符号の説明】
【００８９】
１０、１０ａ  液晶駆動回路、  １２  補正量決定部、  １４、１７  補正テーブル、  １５  補正データ生成部、  ３０  信号ドライバ、  ４０ａ、４０ｂ  走査ドライバ、  ５０  液晶表示パネル、  ２００  液晶表示装置
【図１】
2006267360.tif 000003
【図２】
2006267360.tif 000004
【図３】
2006267360.tif 000005
【図４】
2006267360.tif 000006
【図５】
2006267360.tif 000007
【図６】
2006267360.tif 000008
【図７】
2006267360.tif 000009
【図８】
2006267360.tif 000010
【図９】
2006267360.tif 000011
【図１０】
2006267360.tif 000012
【図１１】
2006267360.tif 000013